【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  太陽電池と、この太陽電池によって発電された電力によって駆動される装置と、この装置により駆動され所定の内容を表示するための表示部材を備えた電子機器において、
前記太陽電池は、透明基板と、この透明基板の周囲に設けられ、接続部により直列に接続された複数の導電部と、前記透明基板上に適宜の間隔で複数形成されるとともに、前記導電部に接続された細線状の光発電セルとを有する透光形太陽電池であり、
前記表示部材は、前記導電部より内側に配置されることを特徴とする電子機器。
【請求項２】  前記表示部材には液晶ディスプレイが含まれることを特徴とする請求項１に記載の電子機器。
【請求項３】  前記表示部材を前記透明基板の裏面側に設けたことを特徴とする請求項１又は２に記載の電子機器。
【請求項４】  前記電子機器のケースの上側に前記透光形太陽電池を配置し、前記ケース内における前記透光形太陽電池の下方に前記装置を配置するとともに、前記装置と前記ケースとの間に空間を形成し、かつ、前記電子機器の下側に透明部材を配置して前記電子機器を上側から下側まで見透せるようにしたことを特徴とする請求項１〜３のいずれかに記載の電子機器。
【請求項５】  前記電子機器のケースの上側に透明部材を配置し、前記ケース内における前記透明部材の下方に前記装置を配置するとともに、前記装置と前記ケースとの間に空間を形成し、かつ、前記電子機器の下側に前記透光形太陽電池を配置して前記電子機器を上側から下側まで見透せるようにしたことを特徴とする請求項１〜３のいずれかに記載の電子機器。
【請求項６】  前記透明部材を、前記透光形太陽電池にしたことを特徴とする請求項４又は５に記載の電子機器。
【請求項７】  前記透明基板に設けた前記導電部を、見切り部材によって隠したことを特徴とする請求項１〜６のいずれかに記載の電子機器。
【請求項８】  前記電子機器が時計で、前記表示部材は時刻を表示する時刻表示部材を含むことを特徴とする請求項１〜７のいずれかに記載の電子機器。
【請求項９】  前記表示部材には、指針と文字盤によって時刻表示を行うアナログ表示部材が含まれ、前記透光形太陽電池を前記文字盤より上に設けたことを特徴とする請求項８に記載の電子機器。
【請求項１０】  前記装置が前記アナログ表示部材の指針を駆動させるためのムーブメントであって、前記透明基板が前記ムーブメントの外周よりも大きいことを特徴とする請求項９に記載の電子機器。
【請求項１１】  前記透光形太陽電池を、前記指針よりも上に設けたことを特徴とする請求項９又は１０に記載の電子機器。
【請求項１２】  前記文字盤の目盛りを、前記透明基板の表面又は裏面に設けたことを特徴とする請求項９〜１１のいずれかに記載の電子機器。
【請求項１３】  前記透明基板が前記時計の風防ガラスであることを特徴とする請求項７〜１２のいずれかに記載の電子機器。
【請求項１４】  前記時計のケースと前記ムーブメントとを一つ又は複数のリブで連結して、前記ムーブメントを前記ケースの中央側で支持させたことを特徴とする請求項１０〜１３のいずれかに記載の電子機器。
【請求項１５】  前記ケースは、外装ケースとこの外装ケースの内側に嵌め込まれる内ケースとを有し、前記内ケースに前記リブを形成したことを特徴とする請求項１４に記載の電子機器。
【請求項１６】  前記リブの内部を通して前記透光形太陽電池から前記ムーブメントに電力を供給するための導電部材を配置したことを特徴とする請求項１４又は１５に記載の電子機器。
【請求項１７】  前記リブの内部を挿通して巻真を設けたことを特徴とする請求項１４〜１６のいずれかに記載の電子機器。
【請求項１８】  前記導電部材を、巻真を挿通させたリブとは異なるリブを通して設けたことを特徴とする請求項１７に記載の電子機器。
【請求項１９】   前記透明基板の前記導電部と前記導電部材とを、接続部材で接続し、この接続部材は、前記導電部の出力端子に付勢される第１の接触部と、前記導電部材に付勢される第２の接触部とを有することを特徴とする請求項１６〜１８のいずれかに記載の電子機器。
【請求項２０】  前記太陽電池は前記ケース内に嵌め込まれる太陽電池保持部材に保持され、前記接続部材は前記太陽電池保持部材に設けられ、前記第１の接触部は前記太陽電池を受け取る前記太陽電池保持部材の受け部で、前記太陽電池の前記導通部の出力端子と接触し、前記第２の接触部は、前記太陽電池保持部材を前記ケース内に収容したときに前記導電部材に接触することを特徴とする請求項１９に記載の電子機器。
【請求項２１】  前記アナログ表示部材の前記指針のうち、少なくとも分を表示する分針を、前記ケースと前記ムーブメントとの間の前記空間の上方まで延長したことを特徴とする請求項１０〜２０のいずれかに記載の電子機器。
【請求項２２】  前記ケースに、前記透明基板よりも小さい内径を有する部分を設け、この部分で前記透明基板に設けた前記導電部を隠すようにしたことを特徴とする請求項１４〜２１のいずれかに記載の電子機器。
【手続補正２】
【補正対象書類名】明細書
【補正対象項目名】０００６
【補正方法】変更
【補正の内容】
【０００６】
【課題を解決するための手段】
上記課題を解決するため、本発明は、太陽電池と、この太陽電池によって発電された電力によって駆動される装置と、この装置により駆動され所定の内容を表示するための表示部材を備えた電子機器において、前記太陽電池は、透明基板と、この透明基板の周囲に設けられ、接続部により直列に接続された複数の導電部と、前記透明基板上に適宜の間隔で複数形成されるとともに、前記導電部に接続された細線状の光発電セルとを有する透光形太陽電池であり、前記表示部材は、前記導電部より内側に配置される構成してある。
この構成によれば、透明基板に細線状の光発電セルを適宜間隔で複数形成することにより、光発電セルを視認しにくくして透明な太陽電池を得ることができる。
光発電セルの間隔は、等間隔とするのが好ましい。このようにすることで、より透明性の高い太陽電池を得ることができる。
また、複数の導電部を直列に接続し、この導電部に前記光発電セルを接続することで、電子機器の動作に必要な十分な起電力を得ることが可能になる。
【手続補正３】
【補正対象書類名】明細書
【補正対象項目名】図面の簡単な説明
【補正方法】変更
【補正の内容】
【図面の簡単な説明】
【図１】
本発明の電子機器に使用される透光形太陽電池の平面図である。
【図２】
図１の太陽電池を、電子機器の一例である腕時計に利用した実施形態にかかり、腕時計の平面図である。
【図３】
図２のＩ−Ｉ方向断面図である。
【図４】
図２の腕時計の分解斜視図で、外装ケースの上側に組み込まれる部材の斜視図である。
【図５】
図２の腕時計の分解斜視図で、外装ケースの下側に組み込まれる見切りリングとムーブメント支持部材の斜視図である。
【図６】
図２の腕時計の分解斜視図で、外装ケースの下側に組み込まれるその他の部材の斜視図である。
【図７】
ムーブメント支持部材、中枠及びムーブメント保持部材を組み付けた状態におけるリブ部分の断面図で、図７（ａ）は図２のII-II断面図、図７（ｂ）は図２のIII-III断面図である。
【図８】
本発明の他の実施形態を説明する平面図である。
【符号の説明】
１０  太陽電池（透光形太陽電池）
１２  透明基板
１４１〜１４４  導電部
１５  接続部
１６ａ，１６ｂ  出力端子
１７  切欠係合部
１８  光発電セル
１９ａ〜１９ｄ  リブ部分
２０  腕時計
２２  表示部材
２３  目盛り
２４  時針
２６  分針
２８  秒針
３０  外装ケース
３０ａ  見切り部
３２  空間部
３４，５６  風防ガラス
３６  太陽電池保持部材
３６ａ  受け部
３８  見切りリング
３８ａ  見切り部
３８ｂ  鍔部
４０  ムーブメント支持部材
４２  ムーブメント
４３ｂ、４３ｄ  内部通路
４４  中枠
４６  導電パターン（導電部材）
５０  ムーブメント保持部材
６０  接続部材
６１，６２  接触子（第１の接触部）
６３，６４  接触子（第２の接触部）
７０  腕時計（他の実施形態）
７１  表示板
７２  ディジタル表示部材